(57)【特許請求の範囲】
【請求項１】
垂木掛と、この垂木掛に平行な前枠と、前記垂木掛および前枠の端部間に掛け渡された側枠とを有する屋根本体と、この屋根本体の前枠に設けられた雨樋部とを備える屋根であって、
前記雨樋部は、前枠と一体的に形成されて前記屋根本体に降り注いだ雨水を流すための軒樋部と、この軒樋部に直接取り付けられ、当該軒樋部の外周側を覆う化粧部材とを備え、
前記化粧部材は、前記軒樋部に沿って形成された化粧部材本体と、この化粧部材本体の一端側から前記軒樋部側へ突出し、前記軒樋部の先端部に係合する上端側係合片と、前記化粧部材本体の他端側で前記前枠に取り付けられる取付部とを備え、
前記化粧部材は、前記軒樋部に取り付けられた際に、前記化粧部材本体と前記取付部との境界部が前記前枠の下側面より下方に位置し、前記取付部は、前記化粧部材本体の他端側となる下端側が曲折して形成され前記前枠の前記下側面にビス止めされて、前記前枠と前記化粧部材とで中空部を形成していることを特徴とする屋根。
【請求項２】
前記上端側係合片は、前記化粧部材が前記軒樋部に取り付けられた際に、前記化粧部材本体の一端側となる上端部が、前記軒樋部に沿うように折り返されており、
前記軒樋部の一端側となる上端部が、前記化粧部材本体と前記上端側係合片との間に挿入されていることを特徴とする請求項１に記載の屋根。
【請求項３】
前記上端側係合片は、前記化粧部材本体の前記上端部に向かって前記化粧部材本体との間隔が狭くなるように形成されていることを特徴とする請求項２に記載の屋根。
【請求項４】
前記化粧部材には、前記軒樋部側へ突出する、前記化粧部材を補強するためのリブが形成されていることを特徴とする請求項１乃至請求項３のいずれかに記載の屋根。
【発明の詳細な説明】
【技術分野】
【０００１】  本発明は、屋根に関し、特に、色調や模様等のバリエーションを高めて、意匠性を向上させることができる屋根に関する。
【背景技術】
【０００２】  従来、例えば、特許文献１に示すように、テラスやカーポート等の屋根を構成する屋根本体の端縁には、屋根に降り注いだ雨水等を集めて地上へと排水するための雨樋部が設けられている。【特許文献１】特開平１１−２２９６４８号公報
【発明の開示】
【発明が解決しようとする課題】
【０００３】  ところで、近年では、雨樋部に対して色調や模様等のバリエーションが求められる場合がある。しかしながら、従来の雨樋部は、茶色や黒色等の単一色によるものが一般的であり、外観に配慮したものは殆ど開発されておらず、意匠性に乏しいという問題がある。【０００４】  本発明の目的は、色調や模様等のバリエーションを高めて、意匠性を向上させることができる屋根を提供することにある。
【課題を解決するための手段】
【０００５】
本発明は、垂木掛と、この垂木掛に平行な前枠と、前記垂木掛および前枠の端部間に掛け渡された側枠とを有する屋根本体と、この屋根本体の前枠に設けられた雨樋部とを備える屋根であって、前記雨樋部は、前枠と一体的に形成されて前記屋根本体に降り注いだ雨水を流すための軒樋部と、この軒樋部に直接取り付けられ、当該軒樋部の外周側を覆う化粧部材とを備え、前記化粧部材は、前記軒樋部に沿って形成された化粧部材本体と、この化粧部材本体の一端側から前記軒樋部側へ突出し、前記軒樋部の先端部に係合する上端側係合片と、前記化粧部材本体の他端側で前記前枠に取り付けられる取付部とを備え、前記化粧部材は、前記軒樋部に取り付けられた際に、前記化粧部材本体と前記取付部との境界部が前記前枠の下側面より下方に位置し、前記取付部は、前記化粧部材本体の他端側となる下端側が曲折して形成され前記前枠の前記下側面にビス止めされて、前記前枠と前記化粧部材とで中空部を形成していることを特徴とする屋根である。
【０００７】
前記上端側係合片は、前記化粧部材が前記軒樋部に取り付けられた際に、前記化粧部材本体の一端側となる上端部が、前記軒樋部に沿うように折り返されており、前記軒樋部の一端側となる上端部が、前記化粧部材本体と前記上端側係合片との間に挿入されていてもよい。
【０００８】
前記上端側係合片は、前記化粧部材本体の前記上端部に向かって前記化粧部材本体との間隔が狭くなるように形成されていてもよい。
【０００９】 また、前記化粧部材には、前記軒樋部側へ突出する、前記化粧部材を補強するためのリブが形成されていてもよい。
【発明の効果】
【００１１】  本発明の屋根によれば、軒樋部に化粧部材を取り付けるようにしたので、軒樋部に種々の模様や様々な色調等を施すことができ、軒樋部や屋根の意匠性を向上できるという効果がある。
【発明を実施するための最良の形態】
【００１２】［前提技術］ 本発明の説明の前に、まず、本発明の前提となる技術を有する屋根が適用されたテラス（以下、前提となるテラスという）について、図面を参照して説明する。前提となるテラス１は、図１に示すように、躯体２からその外側へ延びる屋根３と、屋根３をその前側（図１中左側；軒先側）で支持する例えば２本の柱４とを備えている。屋根３は、前側へ行くに従って下方へ傾斜した屋根本体１０と、屋根本体１０の前側の縁部に取り付けられた雨樋部２０とを備えている。【００１３】  屋根本体１０は、後側端部の垂木掛１１と、垂木掛１１と平行な前側端部の前枠１２と、垂木掛１１および前枠１２の左右端部間に掛け渡された側枠１３と、垂木掛１１および前枠１２の間に側枠１３と平行に掛け渡された垂木１４とを備えている。また、垂木掛１１と、前枠１２と、側枠１３との内側部分には、屋根材１５が設けられている。【００１４】  図２は、屋根１の軒先側を拡大して示す縦断面図である。    図２に示すように、雨樋部２０は、前枠１２と一体的に形成された軒樋部２１と、軒樋部２１に取り付けられた取付部材２２と、取付部材２２に取り付けられた化粧部材２３と、軒樋部２１の底部から柱４に沿って下方へと延びる竪樋部２４とを備えている。このような雨樋部２０では、屋根本体１０に降り注いだ雨水が傾斜に沿って軒樋部２１へと流れこみ、軒樋部２１で集水された後、竪樋部２４を通って地上へと排水される。【００１５】  図１に戻って、軒樋部２１は、両側枠１３に亘って前枠１２に沿って延びるように形成されている。また、図２に示すように、軒樋部２１は、前枠１２の前端部１２Ａから、上方に向けて円弧状に湾曲している。【００１６】  取付部材２２は、軒樋部２１の外周側に設けられている。図３に示すように、取付部材２２は、軒樋部２１の長手方向、すなわち、図３の左右方向に沿って複数個が配置されている。【００１７】  図２に示すように、各取付部材２２は、軒樋部２１の湾曲部分に沿って湾曲した取付部材本体としての湾曲部２６と、湾曲部２６から軒樋部２１側へ突出した第１の係合片であるＬ字状の内係合片２７と、湾曲部２６の一端側となる上端部から軒樋部２１とは反対側の外周側へ突出した突出部２８と、湾曲部２６の他端側となる下端部から外側上方へと突出した第１の係合片であるＬ字状の外係合片２９とを備えて構成されている。内係合片２７は、軒樋部２１の先端部である上端部２１Ａに係合している。なお、突出部２８と外係合片２９の機能については後述する。【００１８】  図１に示すように、化粧部材２３は、軒樋部２１の長手方向に沿って延びるように取り付けられている。また、図２に示すように、化粧部材２３は、軒樋部２１の湾曲部分に沿って湾曲した化粧部材本体としての湾曲部３１と、湾曲部３１の一端側となる上端部が取付部材２２側へ突出した第３の係合片としてのＬ字状の上端側係合片３２と、湾曲部３１における上端側係合片３２よりも他端側となる、湾曲部３１の中央部分から取付部材２２側の下方へと突出した第４の係合片としてのＬ字状の中央側係合片３３と、湾曲部３１の一端側となる下端部が曲折し、軒樋部２１の湾曲部２６を覆うように延びる曲折片３４とを備えて構成されている。���００１９】  湾曲部３１の外周側表面には、種々の色調や、木目調等の様々な模様が施された装飾部３５が例えばラミネート加工で施され、この装飾部３５が外部に露出している。上端側係合片３２は、取付部材２２の突出部２８の上に重なるように配置されて係合し、さらに、上部側から互いを貫通するビスにより固定されている。これにより、化粧部材２３は、取付部材２２を介して、軒樋部２１の雨水の流れに関与しない部分で取り付けられる。中央側係合片３３は、取付部材２２の外係合片２９と噛合するように係合している。【００２０】  また、化粧部材２３には、その中央部分および下側に、長手方向の端部からビスを挿通させるための挿通部３６がそれぞれ形成されている。これらの挿通部３６にビスが挿通されて、化粧部材２３の長手方向の両端部に、当該端部をそれぞれ被覆するための図示しない端部キャップが取り付けられる。また、図１に示すように、前枠１２および雨樋部２０の両端部側には、当該端部を被覆するためのキャップ３７が設けられている。また、湾曲部３１における挿通部３６間には、軒樋部２１側へ突出する化粧部材２３を補強するためのリブ３８が形成されている。【００２１】 前提となるテラスによれば、以下のような効果がある。    (１)軒樋部２１に、外周側表面に模様や色調等が施された装飾部３５がラミネート加工等された化粧部材２３を取り付けるようにしたので、一般的に単一色とされていた軒樋部２１に種々の模様や多様な色調等を施すことができ、軒樋部２１の意匠性を向上できる。これにより、テラス１の外観性を向上できる。【００２２】  (２)軒樋部２１の外周側に化粧部材２３を取り付けて、軒樋部２１を二重にするような構成としたので、軒樋部２１の断面寸法が大きくなって軒樋部２１の強度が向上し、軒樋部２１の長手方向の中央部分で撓み等が生じることを防止できる。【００２３】  (３)取付部材２２を介して化粧部材２３を取り付ける構成としたので、例えば、既設の軒樋部２１に取付部材２２や化粧部材２３を取り付けるだけで、軒樋部２１のリフォームを簡単に行うことができる。【００２４】  (４)取付部材２２の上端部にある突出部２８に、化粧部材２３の上端部にある上端側係合片３２を係合させ、その上部側からビス止めする構成としたので、ビスの頭部が外部から見え難いため、意匠性を損なうことを防止できる。【００２５】  (５)取付部材２２には、軒樋部２１の上端部に係合する内係合片２７が形成され、また、化粧部材２３には、取付部材２２に係合する上端側係合片３２や中央側係合片３３が形成されているため、これらの係合片２７，３２，３３を係合させるだけで、簡単に位置決めすることできる。【００２６】  (６)取付部材２２や化粧部材２３を、雨水の流れに関与しない上端部側の端縁で軒樋部２１の湾曲部２６に取り付けたので、これらの取付箇所から雨水が流れ落ちることを防止できる。【００２７】［本発明に係る一実施形態］  次に、本発明に係る一実施形態について説明する。なお、以下の実施形態では、前記前提となるテラスと同様または相当する構成品には、同じ符号を付してその説明を省略または簡略化する。図４に示すように、本実施形態の屋根２００は、前記前提となるテラスとは、当該屋根���００を支持する柱の位置や、取付部材がない点で主に相違している。以下、これらの相違点を中心に説明する。【００２８】  本実施形態のテラス５は、屋根２００と、屋根２００を、その前端部から少し後側に下がった部分で支持する柱２０２とを備えている。このように柱２０２が後側に下がっていることにより、例えば、柱の位置が制限される２階部分等に対応できる。【００２９】  また、屋根２００と柱２０２との間には、傾斜調整用部材２０４が設けられている。傾斜調整用部材２０４は、柱２０２の上端部に設けられた凹部２０６と、凹部２０６に嵌合し回転可能な円柱状の桁２０８とを備えている。凹部２０６には、長孔２０６Ａが形成されている。桁２０８には、取付部２０８Ａ，２０８Ｂが離間した位置に形成されている。一方の取付部２０８Ａは、屋根２００の側枠１３にビス止めされている。他方の取付部２０８Ｂは、長孔２０６Ａを介して凹部２０６にビス止めされている。このため、長孔２０６Ａに沿って桁２０８の向きを調整して適宜ビス止めすることにより、柱２０２に対する屋根２００の傾斜を簡単に調整できる。【００３０】  屋根２００は、屋根本体１０と、屋根本体１０の前側の縁部に取り付けられる雨樋部２０とを備えている。雨樋部２０は、軒樋部２１と、軒樋部２１の外周側を完全に覆うように配置された化粧部材２１０とを備えている。化粧部材２１０は、軒樋部２１に沿って湾曲して形成された化粧部材本体としての湾曲部２１１と、湾曲部２１１の一端側となる上端部が軒樋部２１側へ折曲した第５の係合片としてのＬ字状の上端側係合片２１２と、湾曲部２１１の他端側となる下端側が曲折して形成された取付部２１３とを備えて構成されている。湾曲部２１１の外側表面には、種々の色調や、木目調等の様々な模様が施された装飾部３５が例えばラミネート加工されている。上端側係合片２１２は、軒樋部２１の上端部２１Ａに係合している。取付部２１３は、前枠１２の下側面にビス止めされている。【００３１】  本実施形態によれば、前記前提となるテラスの(１)，(２)，(５)と同様の効果に加えて、以下のような効果を奏することができる。    (７)取付部材を設けることなく、直接、化粧部材２１０を軒樋部２１に取り付ける構成としたので、部材点数を減少できるとともに、取り付け作業を簡単にすることができる。   (８)化粧部材２１０を、雨水の流れに関与しない前枠１２の下側面で固定する構造としたので、軒樋部２１に取り付けるための孔等を設ける必要がなく、このような孔から雨水が流れ落ちることを未然に防止できる。    (９)既設の軒樋部２１に化粧部材２１０を取り付けるだけで、軒樋部２１のリフォームを簡単に行うことができる。【００３２】  なお、本発明は、前記各実施形態には限定されない。前記各実施形態では、屋根をテラス１に適用したが、これに限らず、例えばカーポートやベランダ等に適用してもよい。【００３３】  また、前記実施形態では、化粧部材の形状を、軒樋部の湾曲部分に沿って湾曲した形状としたが、湾曲した形状としなくてもよい。例えば、湾曲部に相当する本体部を、外側へ向かって突出する断面「く」字状として構成したり、湾曲部に相当する本体部を断面「エ」字状に構成して、その上部と下部に、外側��突出する突出部を形状してもよい。このように化粧部材の形状を、前記軒樋部の湾曲部に沿った形状以外とすることができるため、見た目のバリエーションをより一層向上できる。
【図面の簡単な説明】
【００３４】
【図１】前提となる技術を有する屋根が適用されテラスを示す斜視図である。
【図２】前提となる技術を有する屋根の軒先側を拡大して示す縦断面図である。
【図３】前提となる技術を有する屋根の軒先側を拡大して示す横断面図である。
【図４】本発明の一実施形態に係る屋根の軒先側を拡大して示す縦断面図である。
【符号の説明】
【００３５】３，２００  屋根１０  屋根本体１１  垂木掛１２  前枠１３  側枠２０  雨樋部２１  軒樋部２１Ａ  上端部２２  取付部材２３，２１０  化粧部材２６  湾曲部（取付部材本体）２７  内係合片（第１の係合片）２８  突出部２９  外係合片（第２の係合片）３１  湾曲部（化粧部材本体）３２  上端側係合片（第３の係合片）３３  中央側係合片（第４の係合片）３５  装飾部２１１  湾曲部２１２  上端側係合片（第５の係合片）２１３  取付部
【図１】
0004757896.tif 000002
【図２】
0004757896.tif 000003
【図３】
0004757896.tif 000004
【図４】
0004757896.tif 000005